(57)【要約】      （修正有）【課題】サスペンダーの長さ調整が無段階に容易に行えるサスペンダー付きズボンを提供する。【解決手段】左右一対のベルト２１、２１と、ズボン１とで構成され、左右一対のベルト２１、２１の背中側端部２１a 、２１a がズボン１の後身頃ウエスト部に固定され、左右一対のベルト２１、２１のお腹側端部２１b 、２１b をズボン１の前身頃ウエスト部に形成されたベルト挿通孔にズボン１の外側から内側に向けて挿通させ、該内側に挿通された両ベルト２１、２１の先端部内面と挿通前の両のベルト２１、２１の内面とが、面ファスナー３により互いに着脱自在に面着固定可能に構成され、面ファスナー３を構成する一方のパイル３２が他方のフック３１より長く形成されることにより左右一対の前側ベルト２１、２１の長さ調整が可能に構成。【選択図】図１
0003180144.tif 000002
【実用新案登録請求の範囲】
【請求項１】
左右一対のベルトと、ズボンとで構成され、
前記左右一対のベルトの背中側端部がズボンの後身頃ウエスト部に固定され、
前記左右一対のベルトのお腹側端部をズボンの前身頃ウエスト部に形成されたベルト挿通孔にズボンの外側から内側に向けて挿通させ、該内側に挿通された両ベルトの先端部内面と挿通前の両のベルトの内面とが、面ファスナーにより互いに着脱自在に面着固定可能に構成され、
前記面ファスナーを構成する一方のパイルが他方のフックより長く形成されることにより左右一対の前側ベルトの長さ調整が可能に構成されていることを特徴とするサスペンダー付きズボン。
【請求項２】
請求項１に記載のサスペンダー付きズボンにおいて、
前記面ファスナーのフックがズボンの内側に挿通された両ベルトの先端部内面に備えることを特徴とするサスペンダー付きズボン。
【考案の詳細な説明】
【技術分野】
【０００１】
本考案は、サスペンダー付きズボンに関する。
【背景技術】
【０００２】
従来のサスペンダー付きズボンは、通常長さ調整手段によりサスペンダーの長さ調整を可能としている。（例えば、特許文献１参照。）
【先行技術文献】
【特許文献】
【０００３】
【特許文献１】特開２００３−２２７０１２号公報
【考案の概要】
【考案が解決しようとする課題】
【０００４】
しかしながら、従来のサスペンダー付きズボンにあっては、特許文献１の図１に示すように、長さ調整リングを用いているため、長さ調整が極めて面倒であるという問題点があった。
【０００５】
本考案の解決しようとする課題は、サスペンダーの長さ調整が無段階で容易に行えるサスペンダー付きズボンを提供することにある。
【課題を解決するための手段】
【０００６】
上記課題を解決するため請求項１記載のサスペンダー付きズボンは、左右一対のベルトと、ズボンとで構成され、
前記左右一対のベルトの背中側端部がズボンの後身頃ウエスト部に固定され、
前記左右一対のベルトのお腹側端部をズボンの前身頃ウエスト部に形成されたベルト挿通孔にズボンの外側から内側に向けて挿通させ、該内側に挿通された両ベルトの先端部内面と挿通前の両のベルトの内面とが、面ファスナーにより互いに着脱自在に面着固定可能に構成され、
前記面ファスナーを構成する一方のパイルが他方のフックより長く形成されることにより左右一対の前側ベルトの長さ調整が可能に構成されていることを特徴とする手段とした。
【０００７】
また、請求項２記載のサスペンダー付きズボンは、請求項１記載のサスペンダー付きズボンにおいて、前記面ファスナーのフックがズボンの内側に挿通された両ベルトの先端部内面に備えることを特徴とする手段とした。
【考案の効果】
【０００８】
請求項１記載のサスペンダー付きズボンでは、上述のように、左右一対のベルトのお腹側端部をズボンの前身頃ウエスト部に形成されたベルト挿通孔にズボンの外側から内側に向けて挿通させ、該内側に挿通された両ベルトの先端部内面と挿通前の両のベルトの内面とが、面ファスナーにより互いに着脱自在に面着固定可能に構成され、面ファスナーを構成する一方のパイル側が他方のフック側より長く形成されることにより左右一対の前側ベルトの長さ調整が可能に構成されているため、従来のように面倒な操作を必要とすることなしに、パイルに対するフックの止め位置を変更する操作のみで、ベルトの長さを無段階に簡単に調整することができるようになるという効果が得られる。
【０００９】
請求項２記載のサスペンダー付きズボンでは、上述のように、面ファスナーのフックがズボンの内側に挿通された両ベルトの先端部内面に備えることで、面ファスナーのフックでシャツ等の衣類を傷付けることがなくなる。
【図面の簡単な説明】
【００１０】
【図１】実施例１のサスペンダー付きズボンを示す斜視図である。
【考案を実施するための形態】
【００１１】
以下にこの考案の実施例を図面に基づいて説明する。
【実施例１】
【００１２】
この実施例１のサスペンダー付きズボンは、図１に示すように、ズボン１と、サスペンダー２と、面ファスナー３と、を備える。
【００１３】
さらに詳述すると、前記ズボン１の前身頃ウエスト部の左右２箇所にベルト挿通用の孔１１、１１が形成されている。
【００１４】
また、前記サスペンダー２は、背中側で交差する左右一対のベルト２１、２１で構成されていて、ベルト２１、２１の背中側端部２１a 、２１a がズボン１の後身頃ウエスト部に固定されている。
【００１５】
一方、ベルト２１、２１のお腹側端部２１b 、２１b は、ズボン１の前身頃ウエスト部に形成されたベルト挿通孔１１、１１にズボン１の外側から内側に向けて挿通させ、該内側に挿通された両ベルト２１、２１の先端部内面に備えた面ファスナー３のフック３１を、挿通前の両のベルト２１、２１の内面に備えたパイル３２に面着固定することにより、ベルト２１、２１のお腹側端部２１b 、２１b がズボン１の前身頃ウエスト部に対し着脱可能に固定された構成としている。
【００１６】
なお、面ファスナー３のフック３１がズボン１の内側に挿通された両ベルト２１、２１の先端部内面に備えている。
【００１７】
次に、この実施例１の作用・効果を説明する。
この実施例１のサスペンダー付きズボンにあっては、上述のように、左右一対のベルト２１、２１のお腹側端部２１b 、２１bをズボン１の前身頃ウエスト部に形成されたベルト挿通孔１１、１１にズボン１の外側から内側に向けて挿通させ、該内側に挿通された両ベルト２１、２１の先端部内面と挿通前の両のベルトの内面とが、面ファスナー３により互いに着脱可能に構成され、面ファスナー３を構成する一方のパイル３２側が他方のフック３１側より長く形成されることにより左右一対の前側ベルト２１、２１の長さ調整が可能に構成されているため、従来のように面倒な操作を必要とすることなしに、パイル３２に対するフック３１の止め位置を変更する操作のみで、ベルト２１、２１の長さを無段階に簡単に調整することができるようになるという効果が得られる。
【００１８】
また、面ファスナー３のフック３１がズボン１の内側に挿通された両ベルト２１、２１の先端部内面に備えることで、面ファスナー３のフック３１でシャツ等の衣類を傷付けることがなくなる。
【００１９】
以上本実施例を説明してきたが、本考案は上述の実施例に限られるものではなく、本考案の要旨を逸脱しない範囲の設計変更等があっても、本考案に含まれる。
例えば、実施例では、ズボンに適用したが、オーバーオールや、やスカート等にも適用することができる。
【符号の説明】
【００２０】
１  ズボン
１１  ベルト挿通孔
２  サスペンダー
２１  ベルト
２１a   背中側端部
２１b   お腹側端部
３  面ファスナー
３１  フック
３２  パイル
【図１】
0003180144.tif 000003